(57)【特許請求の範囲】
【請求項１】
ユーザ宅に設置されたＩＣカードリーダに対して、ネットワークを介して通信回線を確立して、決済処理情報が含まれた制御情報を送信する制御情報送信手段と、
前記制御情報を受信したＩＣカードリーダにおいて読み込まれたＩＣカード情報を前記ＩＣカードリーダから受信して、所定の決済処理であるカード処理を実行するカード処理実行手段と
を備えたことを特徴とするカード処理システム。
【請求項２】
ユーザ宅に設置されたＩＣカードリーダに対して、ネットワークを介して通信回線を確立して、決済処理情報が含まれた制御情報を送信する制御情報送信手段と、
前記ＩＣカードリーダのユーザの通信端末との間に通信回線を確立する通信回線確立手段と、
前記通信端末との間の通信回線を介して、前記通信端末において操作入力された情報を受信する操作情報受信手段と、
前記制御情報を受信したＩＣカードリーダにおいて読み込まれたＩＣカード情報を前記ＩＣカードリーダから受信し、該ＩＣカード情報と前記操作入力された情報とに基づいて所定の決済処理であるカード処理を実行するカード処理実行手段と
を備えたことを特徴とするカード処理システム。
【請求項３】
ユーザ宅に設置されたＩＣカードリーダに対して、ネットワークを介して通信回線を確立して、決済処理情報が含まれた制御情報を送信する制御情報送信ステップと、
前記制御情報を受信したＩＣカードリーダにおいて読み込まれたＩＣカード情報を前記ＩＣカードリーダから受信して、所定の決済処理であるカード処理を実行するカード処理実行ステップと
を有することを特徴とするカード処理方法。
【請求項４】
ユーザ宅に設置されたＩＣカードリーダに対して、ネットワークを介して通信回線を確立して、決済処理情報が含まれた制御情報を送信する制御情報送信ステップと、
前記ＩＣカードリーダのユーザの通信端末との間に通信回線を確立する通信回線確立ステップと、
前記通信端末との間の通信回線を介して、前記通信端末において操作入力された情報を受信する操作情報受信ステップと、
前記制御情報を受信したＩＣカードリーダにおいて読み込まれたＩＣカード情報を前記ＩＣカードリーダから受信し、該ＩＣカード情報と前記操作入力された情報とに基づいて所定の決済処理であるカード処理を実行するカード処理実行ステップと
を有することを特徴とするカード処理方法。
【請求項５】
ユーザ宅に設置されたＩＣカードリーダに対して、ネットワークを介して通信回線を確立して、決済処理情報が含まれた制御情報を送信する制御情報送信ステップと、
前記制御情報を受信したＩＣカードリーダにおいて読み込まれたＩＣカード情報を前記ＩＣカードリーダから受信して、所定の決済処理であるカード処理を実行するカード処理実行ステップと
をコンピュータに行わせることを特徴とするカード処理プログラム。
【請求項６】
ユーザ宅に設置されたＩＣカードリーダに対して、ネットワークを介して通信回線を確立して、決済処理情報が含まれた制御情報を送信する制御情報送信ステップと、
前記ＩＣカードリーダのユーザの電話番号に基づいて、前記ユーザの電話端末との間に電話回線を確立する電話回線確立ステップと、
前記通信端末との間の通信回線を介して、前記通信端末において操作入力された情報を受信する操作情報受信ステップと、
前記制御情報を受信したＩＣカードリーダにおいて読み込まれたＩＣカード情報を前記ＩＣカードリーダから受信し、該ＩＣカード情報と前記操作入力された情報とに基づいて所定の決済処理であるカード処理を実行するカード処理実行ステップと
をコンピュータに行わせることを特徴とするカード処理プログラム。
【発明の詳細な説明】
【技術分野】
【０００１】
本発明は、ＩＣカードを使用して、決済処理を行うカード処理システム、カード処理方法及びカード処理プログラムに関する。
【背景技術】
【０００２】
従来、新聞販売店やクリーニング店等では、口座振替によって支払いを行う利用者以外の利用者に対しては、新聞販売店やクリーニング店等の集金担当者が各家庭を定期的に巡回訪問して集金を行うのが一般的であった。集金担当者が各家庭を定期的に巡回訪問して集金を行う方法は、利用者が希望する早朝や深夜の時間帯に合わせて訪問を行ったり、訪問したが利用者が不在の場合は、再度訪問を行わなければならず、集金作業に多大な時間を要するという問題がある。また、集金担当者に会うことができない場合、支払いが行えないという問題もある。
【０００３】
このような問題を解決するために、公共料金等の支払い期日が近づいたことを利用者に通知する技術が提案されている。例えば特許文献１に記載されているように、公共料金を請求する会社から利用者の端末にメールを送信し、利用者はこれを受信して電子マネー支払機等の設置場所まで出向いて支払いを完了させるものがある。これによれば、利用者は支払期日が近づいたことを知ることができるため、確実に支払いを行うことができる。
【特許文献１】特開２００８−０２７１６６号公報
【発明の開示】
【発明が解決しようとする課題】
【０００４】
しかしながら、特許文献１に記載の方法を用いても、利用者にとって通知を受けてすぐに支払いが可能となるわけではなく、電子マネー支払機の設置場所まで出向かなければならないという煩雑さがある、また、通知を受けてすぐに支払いが可能となるわけではないため、利用者が失念してしまい支払いがなされないという問題がある。
【０００５】
本発明は、このような事情に鑑みてなされたもので、確実に料金等の請求を行うことができ、利用者が自己の都合で支払い処理を行うことができるカード処理システム、カード処理方法及びカード処理プログラムを提供することを目的とする。
【課題を解決するための手段】
【０００６】
本発明は、ユーザ宅に設置されたＩＣカードリーダに対して、ネットワークを介して通信回線を確立して、決済処理情報が含まれた制御情報を送信する制御情報送信手段と、前記制御情報を受信したＩＣカードリーダにおいて読み込まれたＩＣカード情報を前記ＩＣカードリーダから受信して、所定の決済処理であるカード処理を実行するカード処理実行手段とを備えたことを特徴とする。
【０００７】
本発明は、ユーザ宅に設置されたＩＣカードリーダに対して、ネットワークを介して通信回線を確立して、決済処理情報が含まれた制御情報を送信する制御情報送信手段と、前記ＩＣカードリーダのユーザの通信端末との間に通信回線を確立する通信回線確立手段と、前記通信端末との間の通信回線を介して、前記通信端末において操作入力された情報を受信する操作情報受信手段と、前記制御情報を受信したＩＣカードリーダにおいて読み込まれたＩＣカード情報を前記ＩＣカードリーダから受信し、該ＩＣカード情報と前記操作入力された情報とに基づいて所定の決済処理であるカード処理を実行するカード処理実行手段とを備えたことを特徴とする。
【０００９】
本発明は、ユーザ宅に設置されたＩＣカードリーダに対して、ネットワークを介して通信回線を確立して、決済処理情報が含まれた制御情報を送信する制御情報送信ステップと、前記制御情報を受信したＩＣカードリーダにおいて読み込まれたＩＣカード情報を前記ＩＣカードリーダから受信して、所定の決済処理であるカード処理を実行するカード処理実行ステップとを有することを特徴とする。
【００１０】
本発明は、ユーザ宅に設置されたＩＣカードリーダに対して、ネットワークを介して通信回線を確立して、決済処理情報が含まれた制御情報を送信する制御情報送信ステップと、前記ＩＣカードリーダのユーザの通信端末との間に通信回線を確立する通信回線確立ステップと、前記通信端末との間の通信回線を介して、前記通信端末において操作入力された情報を受信する操作情報受信ステップと、前記制御情報を受信したＩＣカードリーダにおいて読み込まれたＩＣカード情報を前記ＩＣカードリーダから受信し、該ＩＣカード情報と前記操作入力された情報とに基づいて所定の決済処理であるカード処理を実行するカード処理実行ステップとを有することを特徴とする。
【００１２】
本発明は、ユーザ宅に設置されたＩＣカードリーダに対して、ネットワークを介して通信回線を確立して、決済処理情報が含まれた制御情報を送信する制御情報送信ステップと、前記制御情報を受信したＩＣカードリーダにおいて読み込まれたＩＣカード情報を前記ＩＣカードリーダから受信して、所定の決済処理であるカード処理を実行するカード処理実行ステップとをコンピュータに行わせることを特徴とする。
【００１３】
本発明は、ユーザ宅に設置されたＩＣカードリーダに対して、ネットワークを介して通信回線を確立して、決済処理情報が含まれた制御情報を送信する制御情報送信ステップと、前記ＩＣカードリーダのユーザの電話番号に基づいて、前記ユーザの電話端末との間に電話回線を確立する電話回線確立ステップと、前記通信端末との間の通信回線を介して、前記通信端末において操作入力された情報を受信する操作情報受信ステップと、前記制御情報を受信したＩＣカードリーダにおいて読み込まれたＩＣカード情報を前記ＩＣカードリーダから受信し、該ＩＣカード情報と前記操作入力された情報とに基づいて所定の決済処理であるカード処理を実行するカード処理実行ステップとをコンピュータに行わせることを特徴とする。
【発明の効果】
【００１４】
本発明によれば、確実に料金等の請求を行うことができ、利用者が自己の都合で支払い処理を行うことができるという効果が得られる。
【発明を実施するための最良の形態】
【００１５】
以下、本発明の一実施形態によるカード処理システムを図面を参照して説明する。図１は同実施形態の構成を示すブロック図である。この図において、符号１は、ユーザ宅であり、ここでは、この住宅の住人（ユーザ）が支払い処理するものとして説明する。符号２は、ユーザが支払うべき料金の請求処理を行う料金請求サーバである。符号３は、ＳＩＰ（Session Initiation Protocol）を使用して、インターネットプロトコル(Internet Protocol）電話（以下、ＩＰ電話と称する）を実現するＳＩＰサーバである。符号４は、ＩＰ電話と連携して安全にカード処理を実行する中継サーバである。符号５は、クレジットカードによる決済処理を実行する決済サーバである。
【００１６】
符号１１は、ユーザ宅１に設置され、インターネット６に接続される通信制御装置であり、ルーティング機能を備えている。符号１２は、通信制御装置１１に接続され、ＩＰ電話を実現する電話機である。符号１３は、電話機１２が接続される通信制御装置１１に接続されるカードリーダライタであり、ＩＣカード１４、１５に記録されているクレジットカード番号を読み込んだり、必要な情報をＩＣカード内に書き込んだりする。ＩＣカード１４は、所定の支払いを自宅のカードリーダライタ１３によって行うサービスを受ける会員であることを認証するためのサービスカードである。ＩＣカード１５は、クレジットカードや電子マネーカードであり決済を行うためのＩＣカードである。なお、図１に示すＩＰ電話を実現する電話機１２に代えて、通常の固定電話機を使用するようにしてもよい。
【００１７】
次に、図２を参照して、図１に示すカード処理システムによって、新聞購読料金を購読者が所有するＩＣカードによるクレジットカードを決済に用いて支払いを行う処理動作を説明する。図２は、新聞購読料金の支払いを行う際のカード処理システムの動作を示すシーケンス図である。まず、料金請求元の作業者は、料金請求サーバ２に対して、新聞購読料金の支払い処理をＩＣカードで行うユーザのカードリーダライタ１３のＵＲＩを登録しておく。料金請求サーバ２は、自宅に設置されているカードリーダライタ１３によって支払い処理を行うためのスクリプト登録要求を中継サーバ４に対して送信する（ステップＳ１）。このスクリプト登録要求には、ユーザの電話番号とカードリーダライタ１３のＵＲＩが含まれる。これを受けて、中継サーバ４は、ユーザのカードリーダライタ１３のＵＲＩを指定して、スクリプトデータを含むスクリプト登録要求をカードリーダライタ１３へ送信する（ステップＳ２）。
【００１８】
スクリプト登録要求を受信したカードリーダライタ１３は、スクリプト登録要求に含まれるスクリプトデータを自己内に登録して、登録したスクリプトデータを実行する（ステップＳ３）。これにより、カードリーダライタ１３内に備えているランプが点灯する。ユーザは、このランプの点灯を確認し（ステップＳ４）、ＩＣカード１５（決済用カード）をカードリーダライタ１３にかざす（ステップＳ５）。これを受けて、カードリーダライタ１３は、ＩＣカード１５に記録されている情報を読み取り、決済処理を行い（ステップＳ６）、決済情報を中継サーバ４へ送信する。決済サーバ４は、この決済情報を中継して、決済サーバ５へ転送する（ステップＳ７）。
【００１９】
次に、決済サーバ５は、決済情報を中継サーバ４から受信して（ステップＳ８）、精算処理を行い、この結果得られる精算情報を料金請求サーバ２へ送信する（ステップＳ９）。料金請求サーバ２は、この精算処理を受信して（ステップＳ１０）、新聞購読料の請求、支払い処理が終了する。
【００２０】
ここで、図５を参照して、図１に示すカードリーダライタ１３におけるスクリプト実行処理動作を説明する。まず、カードリーダライタ１３は、登録したスクリプトデータ中の先頭スクリプトを読み込み（ステップＳ７１）、リセット（タイプの切り替え）を行う（ステップＳ７２）。そして、ポーリングを実行し（ステップＳ７４）、ＩＣカードがかざされているか否かを判定する（ステップＳ７４）。この判定の結果、ＩＣカードがかざされていなければ、次のスクリプトがあるか否かを判定し（ステップＳ８ａ）、次のスクリプトがなければ、ステップＳ７１に戻り処理を繰り返す。また、次のスクリプトがあれば、次のスクリプトを読み込み（ステップＳ８ｂ）、ステップＳ７２へ移行する。
【００２１】
一方、ＩＣカードがかざされていれば、カードリーダライタ１３は、スクリプトに記述されたエリアの情報をＩＣカードから読み出す（ステップＳ７５）。この読み出しが成功したか否かを判定し（ステップＳ７６）、成功しなければ、次のスクリプトがあるか否かを判定し（ステップＳ８ａ）、次のスクリプトがなければ、ステップＳ７１に戻り処理を繰り返す。また、次のスクリプトがあれば、次のスクリプトを読み込み（ステップＳ８ｂ）、ステップＳ７２へ移行する。
【００２２】
次に、読み出しに成功した場合、カードリーダライタ１３は、スクリプトに記述されたコマンド（Ｒｅａｄ、Ｗｒｉｔｅなど）を実行し（ステップＳ７７）、スクリプト記述されたアドレスに対してアクセスする（ステップＳ７８）。スクリプトに複数のコマンドが羅列されていればその全てのコマンドを実行する。続いて、カードリーダライタ１３は、スクリプトに記述されたアドレスに対して、コマンド実行結果を送信（ステップＳ７９）、実行したスクリプトを削除する（ステップＳ８０）。そして、スクリプトを停止する。
【００２３】
次に、図６を参照して、中継サーバ４、カードリーダライタ１３及びＩＣカード１５の詳細動作を説明する。まず、中継サーバ４からスクリプトが登録されると（ステップＳ８１）、カードリーダライタ１３は、定期的（例えば、毎月の新聞購読料金の支払日など）にキュー先頭のスクリプトを実行する。そして、カードリーダライタ１３は、ＴｙｐｅＡのポーリングを行い（ステップＳ８２）、ＩＣカードが存在すれば、次のステップへ移行する。ＩＣカードが存在しなければ、ＴｙｐｅＣのポーリングを行う（ステップＳ８３）。
【００２４】
ＩＣカードが存在する場合、カードリーダライタ１３は、エリアＡのＲｅａｄコマンドを発行し（ステップＳ８４）、エリアＢのＷｒｉｔｅコマンドを発行する（ステップＳ８５）。一方、読み出しに失敗した場合、エリアＣのＲｅａｄコマンドを発行し（ステップＳ８６）、エリアＤのＷｒｉｔｅコマンドを発行する（ステップＳ８７）。ステップＳ８４、Ｓ８６の処理のいずれかが成功した場合、カードリーダライタ１３は、読み出したカード種別を含む決済開始の情報を中継サーバ４へ送信する（ステップＳ８８）。これを受けて、中継サーバ４は、ＩＣカード１５との間で決済を実施する（ステップＳ８９）。
【００２５】
このように、新聞購読料金の支払者（ユーザ）宅に設置されたカードリーダライタ１３に決済用のＩＣカード１５をかざすことによって、支払者の自宅で決済処理を行うことが可能になる。また、カードリーダライタ１３が自宅に設置されているため、ユーザが不在であっても料金請求処理を実行することができ、ユーザが帰宅した際にＩＣカード１５をカードリーダライタ１３にかざすだけで支払い処理を行うことが可能となる。
【００２６】
次に、図３を参照して、図１に示すカード処理システムによって、新聞購読料金を購読者が所有するＩＣカードによるクレジットカードを決済に用いて支払いを行う処理動作の変形例を説明する。図２は、電話機を使用して、新聞購読料金の支払いを行う際のカード処理システムの動作を示すシーケンス図である。
【００２７】
まず、料金請求元の作業者は、料金請求サーバ２に対して、新聞購読料金の支払い処理をＩＣカードで行うユーザのカードリーダライタ１３のＵＲＩとユーザ宅に設置されている電話機１２の電話番号を登録しておく。そして、料金請求サーバ２は、自宅に設置されているカードリーダライタ１３によって支払い処理を行うためのスクリプト登録要求を中継サーバ４に対して送信する（ステップＳ１１）。このスクリプト登録要求には、ユーザの電話番号とカードリーダライタ１３のＵＲＩが含まれる。これを受けて、中継サーバ４は、ユーザのカードリーダライタ１３のＵＲＩを指定して、スクリプトデータを含むスクリプト登録要求をカードリーダライタ１３へ送信する（ステップＳ１２）。
【００２８】
スクリプト登録要求を受信したカードリーダライタ１３は、スクリプト登録要求に含まれるスクリプトデータを自己内に登録して、登録したスクリプトデータを実行する（ステップＳ１３）。これにより、カードリーダライタ１３内に備えているランプが点灯する。ユーザは、このランプの点灯を確認し（ステップＳ１４）、ＩＣカード１４（サービスカード）をカードリーダライタ１３にかざす（ステップＳ１５）。これを受けて、カードリーダライタ１３は、ＩＣカード１４に記録されている情報を読み取るスクリプトを実行した結果を中継サーバ４へ送信する（ステップＳ１６）。中継サーバ４は、このスクリプト実行結果を中継して（ステップＳ１７）、料金請求サーバ２へ転送する。
【００２９】
料金請求サーバ２は、中継サーバ４からスクリプト実行結果を受信し（ステップＳ１８）、ユーザの認証を行い、ユーザの電話機１２の電話番号へコール発信する（ステップＳ１９）。これにより、電話機１２はコールする（ステップＳ２０）。ユーザは、このコールに対して、電話応答する（ステップＳ２１）。ここで、料金請求サーバ２は、音声合成によって、新聞購読料金の支払いを求める音声メッセージを発声する。これを聞いたユーザは、内容を確認し（ステップ２２）、支払いに応じることを示す操作を電話機１２のダイヤルボタンを使用して行う（ステップＳ２３）。料金請求サーバ２は、このボタン操作の内容を読み取り、支払いの意志を確認する（ステップＳ２４）。
【００３０】
次に、料金請求サーバ２は、中継サーバ４に対して決済情報（新聞購読料金等）を送信する（ステップＳ２５）。これを受けて、中継サーバ４は、決済処理要求をカードリーダライタ１３へ送信する（ステップＳ２６）。決済処理要求を受信したカードリーダライタ１３は、先に登録されているスクリプトデータを実行して決済処理を起動する（ステップＳ２７）。これにより、カードリーダライタ１３内に備えているランプが点灯する。ユーザは、このランプの点灯を確認し（ステップＳ２８）、ＩＣカード１５（決済用カード）をカードリーダライタ１３にかざす（ステップＳ２９）。これを受けて、カードリーダライタ１３は、ＩＣカード１５に記録されている情報を読み取り、決済処理を行い（ステップＳ３０）、決済情報を中継サーバ４へ送信する。中継サーバ４は、この決済情報を中継して、決済サーバ５へ転送する（ステップＳ３１）。
【００３１】
次に、決済サーバ５は、決済情報を中継サーバ４から受信して（ステップＳ３２）、精算処理を行い、この結果得られる精算情報を料金請求サーバ２へ送信する（ステップＳ３３）。料金請求サーバ２は、この精算処理を受信して（ステップＳ３４）、新聞購読料の請求、支払い処理が終了する。
【００３２】
このように、電話機１２によって支払者の意思表示を行うことができるともに、新聞購読料金の支払者（ユーザ）宅に設置されたカードリーダライタ１３に決済用のＩＣカード１５をかざすことによって、支払者の自宅で決済処理を行うことが可能になる。
【００３３】
次に、図４を参照して、図１に示すカード処理システムによって、一人のユーザに対する複数の支払い処理を料金請求サーバ２に代わって中継サーバ４が行う処理動作を説明する。図２は、一人のユーザに対する複数の支払い処理を料金請求サーバ２に代わって中継サーバ４が行う際のカード処理システムの動作を示すシーケンス図である。
【００３４】
まず、料金請求元の作業者は、料金請求サーバ２に対して、新聞購読料金の支払い処理をＩＣカードで行うユーザのカードリーダライタ１３のＵＲＩとユーザ宅に設置されている電話機１２の電話番号を登録しておく。そして、料金請求サーバ２は、自宅に設置されているカードリーダライタ１３によって支払い処理を行うためのスクリプト登録要求を中継サーバ４に対して送信する（ステップＳ４１）。このスクリプト登録要求には、ユーザの電話番号とカードリーダライタ１３のＵＲＩが含まれる。また、他の料金請求サーバ（例えば、電気料金やガス料金等）についても同様に、スクリプト登録要求を中継サーバ４に対して送信する。これを受けて、中継サーバ４は、ユーザのカードリーダライタ１３のＵＲＩを指定して、スクリプトデータを含むスクリプト登録要求をカードリーダライタ１３へ送信する（ステップＳ４２）。
【００３５】
スクリプト登録要求を受信したカードリーダライタ１３は、スクリプト登録要求に含まれるスクリプトデータを自己内に登録して、登録したスクリプトデータを実行する（ステップＳ４３）。これにより、カードリーダライタ１３内に備えているランプが点灯する。ユーザは、このランプの点灯を確認し（ステップＳ４４）、ＩＣカード１４（サービスカード）をカードリーダライタ１３にかざす（ステップＳ４５）。これを受けて、カードリーダライタ１３は、ＩＣカード１４に記録されている情報を読み取るスクリプトを実行した結果を中継サーバ４へ送信する（ステップＳ４６）。中継サーバ４は、このスクリプト実行結果を受信する（ステップＳ４７）。
【００３６】
中継サーバ４は、支払いカード種別が異なる場合、受信したスクリプト実行結果によって１つを選択して、受信したスクリプト実行結果に基づいて、ユーザの認証を行い、ユーザの電話機１２の電話番号へコール発信する（ステップＳ４８）。これにより、電話機１２はコールする（ステップＳ４９）。ユーザは、このコールに対して、電話応答する（ステップＳ５０）。ここで、中継サーバ４は、音声合成によって、例えば新聞購読料金の支払いを求める音声メッセージを発声する。これを聞いたユーザは、内容を確認し（ステップ５１）、支払いが複数ある場合は、ユーザが複数の支払いの中から１つを選択する操作を行うとともに、支払いに応じることを示す操作を電話機１２のダイヤルボタンを使用して行う（ステップＳ５２）。中継サーバ４は、このボタン操作の内容を読み取り、支払いの意志を確認する（ステップＳ５３）。
【００３７】
次に、中継サーバ４は、決済処理要求をカードリーダライタ１３へ送信する（ステップＳ５４）。決済処理要求を受信したカードリーダライタ１３は、先に登録されているスクリプトデータを実行して決済処理を起動する（ステップＳ５５）。これにより、カードリーダライタ１３内に備えているランプが点灯する。ユーザは、このランプの点灯を確認し（ステップＳ５６）、ＩＣカード１５（決済用カード）をカードリーダライタ１３にかざす（ステップＳ５７）。これを受けて、カードリーダライタ１３は、ＩＣカード１５に記録されている情報を読み取り、決済処理を行い（ステップＳ５８）、決済情報を中継サーバ４へ送信する。中継サーバ４は、この決済情報を中継して、決済サーバ５へ転送する（ステップＳ５９）。
【００３８】
次に、決済サーバ５は、決済情報を中継サーバ４から受信して（ステップＳ６０）、精算処理を行い、この結果得られる決済完了通知を中継サーバ４へ送信する（ステップＳ６１）。中継サーバ４は、決済完了通知を受けると（ステップＳ６２）、この決済完了通知を料金請求サーバ２へ送信する（ステップＳ６３）。一方、決済サーバ５は、精算情報を料金サーバ２へ送信する（ステップＳ６６）。料金請求サーバ２は、中継サーバ４から決済完了通知を受信する（ステップＳ６４）とともに、決済サーバ５から精算情報を受信して（ステップＳ６５）、料金の請求、支払い処理が終了する。
【００３９】
このように、一人のユーザに対する複数の支払い処理を複数の料金請求サーバ２に代わって中継サーバ４が行うようにしたため、料金請求サーバ２の処理負荷を低減することができるともに、支払者（ユーザ）宅に設置されたカードリーダライタ１３に決済用のＩＣカード１５をかざすことによって、支払者の自宅で複数の支払いに対する決済処理を行うことが可能になる。
【００４０】
以上説明したように、料金請求サーバ２または中継サーバ４が、ユーザ宅のカードリーダライタ１３に対して、支払いを求める処理を実行するようにしたため、確実に料金等の請求を行うことができる。また、カードリーダライタ１３がユーザ宅に設置されているため、利用者が自己都合のタイミングで支払い処理を行うことができる。これにより、定期的な集金作業の手間を省き、料金の回収漏れを低減することが可能となる。また、一度請求処理を実行しておけば、ユーザがＩＣカードをかざしたときのみに支払い処理を実行すればよいため、サーバの処理負荷を軽減することができる。
【００４１】
なお、図１における処理部の機能を実現するためのプログラムをコンピュータ読み取り可能な記録媒体に記録して、この記録媒体に記録されたプログラムをコンピュータシステムに読み込ませ、実行することによりＩＣカードに対する処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【図面の簡単な説明】
【００４３】
【図１】本発明の一実施形態の構成を示すブロック図である。
【図２】図１に示すカード処理システムの動作を示すシーケンス図である。
【図３】図１に示すカード処理システムの動作を示すシーケンス図である。
【図４】図１に示すカード処理システムの動作を示すシーケンス図である。
【図５】図１に示すカードリーダライタ１３の動作を示すフローチャートである。
【図６】図１に示すＩＣカード１５、カードリーダライタ１３及び中継サーバ４の処理動作を示すシーケンス図である。
【符号の説明】
【００４４】
１・・・ユーザ宅、１１・・・通信制御装置、１２・・・電話機、１３・・・カードリーダライタ、１４、１５・・・ＩＣカード、２・・・料金請求サーバ、３・・・ＳＩＰサーバ、４・・・中継サーバ、５・・・決済サーバ、６・・・インターネット
【図１】
0005184175.tif 000002
【図２】
0005184175.tif 000003
【図３】
0005184175.tif 000004
【図４】
0005184175.tif 000005
【図５】
0005184175.tif 000006
【図６】
0005184175.tif 000007